(57)【要約】【課題】１つのディスク駆動装置で、ＣＤ、ＤＶＤ、Ｂｌｕ‐ｒａｙ　Ｄｉｓｃ（ＢＤ）間のデータ移動・複写操作やデータのＢＤ・ＤＶＤ・ＣＤ上での記録再生動作を簡略化・迅速化を行うことが可能な光情報記録媒体を提供する。【解決手段】第１〜第３の各記録媒体１２〜１４を光ビームの入射側から順に互いに積層して設ける。第１記録媒体１２は、波長λ１　のレーザ光１６が集光されると記録再生できると共に集光しないレーザ光を透過させる。第２記録媒体１３は、波長λ２　（≧λ１　）のレーザ光１７が集光されると記録再生できると共に集光しないレーザ光を透過させる。第３記録媒体１４は、波長λ３　（≧λ２　）のレーザ光１８が集光されると記録再生できる。【選択図】　図１
2004095005.tif 000002
【特許請求の範囲】
【請求項１】
光入射側から、第１記録媒体と第２記録媒体と第３記録媒体とを有し、第１記録媒体の記録密度がσ１、第２記録媒体の記録密度がσ２、第３記録媒体の記録密度がσ３であるとき、各記録密度は、σ１＞σ２＞σ３に設定されていることを特徴とする光情報記録媒体。
【請求項２】
第１記録媒体と第２記録媒体と第３記録媒体とが互いに積層されており、
第１記録媒体は、第２記録媒体と第３記録媒体とが積層された側と反対の側から照射されて第１記録媒体上で集光する波長λ１　の光ビームによって記録および再生の少なくとも一方を行うためのものであり、
また、第１記録媒体は、波長λ１　、波長λ２　および波長λ３　をそれぞれ有する、第１記録媒体上で集光しない光ビームを透過させるようになっており、
第２記録媒体は、第１記録媒体が積層された側から照射されて第２記録媒体上で集光する波長λ１　および波長λ２　の何れかの光ビームによって記録および再生の少なくとも一方を行うためのものであり、
また、第２記録媒体は、波長λ１　、波長λ２および波長λ３　をそれぞれ有する、第２記録媒体上で集光しない光ビームを透過させるようになっており、
第３記録媒体は、第１記録媒体および第２記録媒体が積層された側から照射されて第３記録媒体上で集光する波長λ１　、波長λ２　および波長λ３　の何れかの光ビームによって記録および再生の少なくとも一方を行うためのものであることを特徴とする光情報記録媒体。
【請求項３】
請求項２に記載の光情報記録媒体において、記録および再生の少なくとも一方を行うための光ビームの波長が、λ１＜λ２＜λ３であることを特徴とする光情報記録媒体。
【請求項４】
請求項２または３に記載の光情報記録媒体において、第１記録媒体、第２記録媒体、および第３記録媒体が、全て追記型記録媒体であることを特徴とする光情報記録媒体。
【請求項５】
請求項２または３に記載の光情報記録媒体において、第１記録媒体と第２記録媒体とが追記型記録媒体であり、かつ第３記録媒体が再生専用媒体であることを特徴とする光情報記録媒体。
【請求項６】
請求項２または３に記載の光情報記録媒体において、第１記録媒体と第２記録媒体とが追記型記録媒体であり、かつ第３記録媒体が相変化型記録再生媒体であることを特徴とする光情報記録媒体。
【請求項７】
請求項２または３に記載の光情報記録媒体において、第１記録媒体と第２記録媒体とが追記型記録媒体であり、かつ第３記録媒体が光磁気型記録再生媒体であることを特徴とする光情報記録媒体。
【請求項８】
請求項２または３に記載の光情報記録媒体において、第１記録媒体と第３記録媒体とが追記型記録媒体であり、第２記録媒体が再生専用媒体であることを特徴とする光情報記録媒体。
【請求項９】
請求項２または３に記載の光情報記録媒体において、第１記録媒体が、追記型記録媒体であり、かつ第２記録媒体と第３記録媒体とが再生専用媒体であることを特徴とする光情報記録媒体。
【請求項１０】
請求項２または３に記載の光情報記録媒体において、第１記録媒体が、追記型記録媒体であり、第２記録媒体が再生専用媒体であり、かつ第３記録媒体が相変化型記録再生媒体であることを特徴とする光情報記録媒体。
【請求項１１】
請求項２または３に記載の光情報記録媒体において、第１記録媒体が、追記型記録媒体であり、第２記録媒体が再生専用媒体であり、かつ第３記録媒体が光磁気型記録再生媒体であることを特徴とする光情報記録媒体。
【発明の詳細な説明】
【０００１】
【発明の属する技術分野】
本発明は、例えば、レーザビームにより、光学的に情報を記録・再生する光ディスク等の光情報記録媒体に関するものである。
【０００２】
【従来の技術】
マルチメディア化が進展し、なかでもその中心となるパーソナルコンピュータ（以下パソコンと称する）が普及してきている。近年、それに伴い、リムーバブルタイプすなわち抜き差し可能なタイプであって、高密度・大容量・高速アクセス等の種々の要求を満足しうる光情報記録媒体の研究開発および規格化が活発に推進されてきている。
【０００３】
特に、いわゆるＣＤ（コンパクトディスク）ファミリーと呼ばれるＣＤ類似記録媒体のうちで、ＣＤやＣＤ−ＲＯＭが、６５０ＭＢ（メガバイト）容量の読み出し専用メモリとして普及している。また、ＣＤ−Ｒが、追記型（１回書き込み）メモリとして、ＲＯＭ（読み出し専用メモリ）のプリマスターとして、あるいはペーパレスのパーソナルファイルすなわち紙を使わない個人用のファイルなどのようなパソコンデータ用の記録媒体として、急速に普及している。
【０００４】
こうした、パソコンを中心とした大きな記録媒体市場に、さらに高密度な４．７ＧＢ（ギガバイト）容量のＤＶＤ−ＲＯＭ（読み出し専用デジタルビデオディスク）が１９９５年１２月に規格統一され、画像を含めた大容量記録媒体として登場してきた。パッケージ記録媒体としては既にＣＤ−ＲＯＭが広く普及しているが、ＤＶＤは、このＣＤ−ＲＯＭと上位互換の関係にあり、文字情報や音声、動画像等の情報をデジタル化して記録するものである。
【０００５】
さらに、２００２年２月にＢｌｕ−ｒａｙ　Ｄｉｓｃ（以下、ＢＤと称する）という波長４０５ｎｍの青色レーザを用いた最大容量２７ＧＢという超高密度光ディスク規格が発表された。ＢＤは、高密度な情報記録媒体であり、その音声の高品質性、画像の高精細性が注目されており、ＣＤ−ＲＯＭ、ＤＶＤの大容量版として大きな市場が期待されている。
【０００６】
一般的な記録媒体としては、ＣＤとＤＶＤとＢＤとは別々の記録媒体としてのみ存在している。しかし、上述のようにＢＤは、ＤＶＤおよびＣＤの、ＤＶＤはＣＤの上位互換関係の位置にある。このため、ＤＶＤレコーダやＤＶＤプレーヤ等のＤＶＤドライブでは、一般に、ＣＤドライブと異なり、ＤＶＤのみならずＣＤをも記録再生できるようになっている。また、ＢＤレコーダやＢＤプレーヤ等のＢＤドライブでは、一般に、ＣＤドライブＤＶＤドライブと異なり、ＢＤのみならずＣＤやＤＶＤをも記録再生できるようになっている。
【０００７】
記録媒体の種類は、ＣＤの場合は、再生専用のＣＤ−ＲＯＭではプレピット方式、追記型のＣＤ−Ｒでは色素記録方式、書き換え型のＣＤ−Ｅでは相変化記録方式の３種類がある。ＤＶＤの場合は、再生専用のＤＶＤ−ＲＯＭではプレピット方式、追記型のＤＶＤ−Ｒでは色素記録方式、書き換え型のＤＶＤ−ＲＡＭでは相変化記録方式の３種類がある。これらのうち、色素記録方式のＣＤ−Ｒ、色素記録方式のＤＶＤ−Ｒおよび色素記録方式のＢＤ−Ｒの断面図を図１１、図１２、図１３にそれぞれ示す。
【０００８】
図１１に示すように、上記色素記録方式のＣＤ−Ｒ２０１は、１．２ｍｍの厚さのＰＣ（ポリカーボネート）基板２０２に、有機色素膜２０３、反射膜２０４、保護コート２０５がこの順に積層されている。有機色素膜２０３は、例えばシアニンやフタロシアニン等が用いられる。反射膜２０４としては例えば金が用いられる。１回のアクセスでの記録再生は１面のみであり、多重記録再生はできない。
【０００９】
図１２に示すように、上記色素記録方式のＤＶＤ−Ｒ３０１は、貼り合わせる、２枚の各媒体３０５・３０９が互いに背面側にて貼り合わされた構造となっている。すなわち、貼り合わせ媒体３０５は、０．６ｍｍの厚さのＰＣ基板３０２に、有機色素膜３０３、反射膜３０４がこの順に積層されている。同じく、貼り合わせ媒体３０９は、０．６ｍｍの厚さのＰＣ基板３０６に、有機色素膜３０７、反射膜３０８がこの順に積層されている。有機色素膜３０３・３０７は例えばシアニンやフタロシアニン等が用いられる。反射膜３０４・３０８としては、例えば金が用いられる。
【００１０】
この２枚の貼り合わせ媒体３０５・３０９の反射膜３０４・３０８同士が、貼り合わせ用の樹脂３１０によって接着されることにより、貼り合わせ媒体３０５・３０９が互いに貼り合わせられている。
【００１１】
図１３に示すように、上記色素記録方式のＢＤ−Ｒ４０１は、１．１ｍｍの厚さのＰＣ（ポリカーボネート）基板４０２に、金属反射膜４０３、有機色素膜４０４、保護コート４０５がこの順に積層されている。反射膜４０３としては例えばアルミニウム等が用いられる。有機色素膜４０４は、例えばシアニンやフタロシアニン等が用いられる。保護コート４０５としては、厚さは１００μｍの例えばポリカーボネートシート等が用いられる。１回のアクセスでの記録再生は１面のみであり、多重記録再生はできない。
【００１２】
また、それら上記色素記録方式のＣＤ−Ｒおよび上記色素記録方式のＤＶＤ−Ｒおよび上記色素記録方式のＢＤ−Ｒの吸光度スペクトルを、図１４、図１５および図１６にそれぞれ示す。図から分かるように、色素の長波長吸収端では急峻な立ち下がりとなっており、この付近の波長に記録レーザ波長を適合させている。図１６のＢＤ−Ｒ用色素のみ短波長記録再生であるため、短波長吸収端の立ち上がりを急峻とし、その付近に記録レーザ波長を適合させている。
【００１３】
【発明が解決しようとする課題】
上記のように、ＢＤドライブやＤＶＤドライブではＢＤやＤＶＤのみならずＣＤをも記録再生することができる。しかしながら、一つのＢＤドライブやＤＶＤドライブでＣＤからＤＶＤ・ＢＤ、またはＢＤ・ＤＶＤからＣＤへとデータを移動・複写するには、ＣＤとＤＶＤとＢＤとを抜き差しして入れ換える操作が必要になるため、操作が煩雑であり迅速に操作できないという問題点がある。
【００１４】
また、データのＢＤやＤＶＤ上での書き込みや読み出しとＣＤ上での書き込みや読み出しとを交互に頻繁に行うときにも、ＣＤとＤＶＤとＢＤを抜き差しして入れ換える操作が必要になるため、やはり操作が煩雑であり迅速に操作できないという問題点がある。
【００１５】
【課題を解決するための手段】
本発明の光情報記録媒体は、上記の課題を解決するため、光入射側から、第１記録媒体と第２記録媒体と第３記録媒体とを有し、第１記録媒体の記録密度がσ１、第２記録媒体の記録密度がσ２、第３記録媒体の記録密度がσ３であるとき、各記録密度は、σ１＞σ２＞σ３に設定されていることを特徴としている。
【００１６】
上記構成によれば、各記録密度σ１、σ２、σ３を、σ１＞σ２＞σ３に設定することで、第１記録媒体を記録再生するための光の波長λ１　と第２記録媒体を記録再生するための光の波長λ２　と第３記録媒体を記録再生するための光の波長λ３　とを、それぞれ、λ１＜λ２＜λ３に設定できて、後に詳述するように、第１記録媒体と第２記録媒体と第３記録媒体と間の相互間でのデータのやりとりを簡素化できる。
【００１７】
本発明の他の光情報記録媒体は、前記の課題を解決するため、第１記録媒体と第２記録媒体と第３記録媒体とが互いに積層されており、第１記録媒体は、第２記録媒体と第３記録媒体とが積層された側と反対の側から照射されて第１記録媒体上で集光する波長λ１　の光ビームによって記録および再生の少なくとも一方を行うためのものであり、また、第１記録媒体は、波長λ１　、波長λ２　および波長λ３　をそれぞれ有する、第１記録媒体上で集光しない光ビームを透過させるようになっており、第２記録媒体は、第１記録媒体が積層された側から照射されて第２記録媒体上で集光する波長λ１　および波長λ２　の何れかの光ビームによって記録および再生の少なくとも一方を行うためのものであり、また、第２記録媒体は、波長λ１　、波長λ２　および波長λ３　をそれぞれ有する、第２記録媒体上で集光しない光ビームを透過させるようになっており、第３記録媒体は、第１記録媒体および第２記録媒体が積層された側から照射されて第３記録媒体上で集光する波長λ１　、波長λ２　および波長λ３　の何れかの光ビームによって記録および再生の少なくとも一方を行うためのものであることを特徴としている。
【００１８】
上記光情報記録媒体では、記録および再生の少なくとも一方を行うための光ビームの波長が、λ１＜λ２＜λ３であることが好ましい。
【００１９】
上記の構成により、以下▲１▼〜▲６▼のように記録再生が行われる。
▲１▼波長λ１　の光ビームを照射して第１記録媒体に集光させた場合、第１記録媒体で記録再生を行うことが可能である。
▲２▼波長λ１　の光ビームを照射して第２記録媒体に集光させた場合、光ビームが第１記録媒体を透過して第２記録媒体に到達し、第２記録媒体で記録再生を上記光ビームにより行うことができる。
▲３▼波長λ１　の光ビームを照射して第３記録媒体に集光させた場合、光ビームが第１記録媒体および第２記録媒体を透過して第３記録媒体に到達し、第３記録媒体で記録再生を上記光ビームによって行うことが可能となる。
▲４▼波長λ２　の光ビームを照射して第２記録媒体に集光させた場合、光ビームが第１記録媒体を透過して第２記録媒体に到達し、第２記録媒体で記録再生が可能である。
▲５▼波長λ２　の光ビームを照射して第３記録媒体に集光させた場合、光ビームが第１記録媒体および第２記録媒体を透過して第３記録媒体に到達し、第３記録媒体で記録再生を行うことができる。
▲６▼波長λ３　の光ビームを照射して第３記録媒体に集光させた場合、光ビームが第１記録媒体および第２記録媒体を透過して第３記録媒体に到達し、第３記録媒体で記録再生が可能となる。
【００２０】
上記▲１▼、▲２▼および▲３▼はＢＤディスクを駆動して記録再生するＢＤドライブで行える。▲４▼および▲５▼は、ＤＶＤを駆動して記録再生するＤＶＤドライブで行える。上記▲６▼はＣＤを駆動して記録再生するＣＤドライブで行える。このため、１つの光情報記録媒体の同じ側を向いた面で、ＣＤ情報、ＤＶＤ情報およびＢＤ情報の３つを記録再生できる。
【００２１】
したがって、１つの上記光情報記録媒体を、例えばＤＶＤドライブに入れたままの状態で、ＣＤ、ＤＶＤおよびＢＤの間で自由にデータを移動・複写することができる。それによって、一つのＢＤドライブでＣＤからＤＶＤ間、またはＤＶＤからＢＤ間のデータを移動・複写するのに、ＣＤとＤＶＤとＢＤディスクを抜き差しして入れ換える操作が不要になるため、操作が簡略であり迅速に操作できる。
【００２２】
また、上記のように１つの光情報記録媒体の同じ側を向いた面に、ＣＤ情報、ＤＶＤ情報およびＢＤ情報の３つを記録できるので、１つの光情報記録媒体をＢＤドライブに入れたままの状態で、データのＢＤ上での書き込みや読み出しとＤＶＤ上での書き込みや読み出しおよびＣＤ上での書き込みや読み出しとの３つの動作を行うことができる。
【００２３】
それによって、データのＢＤ上での書き込みや読み出しとＤＶＤ上での書き込みや読み出しおよびＣＤ上での書き込みや読み出しとを頻繁に行うときにも、ＣＤとＤＶＤとＢＤを抜き差しして入れ換える操作が不要なため、操作が簡略であり迅速に操作できる。
【００２４】
【発明の実施の形態】
〔実施の形態１〕
本発明の実施の一形態について図１ないし図３に基づいて説明すれば、以下の通りである。図１に示すように、本実施の形態に係る光ディスク（光情報記録媒体）１は、入射光側媒体である第１記録媒体１２と、中層媒体である第２記録媒体１３と、下層媒体である第３記録媒体１４とを有している。
【００２５】
第１記録媒体１２は、図中、記録再生のための光ビームの入射側となる上側から順に、ＰＣ（ポリカーボネート）シート２、第１色素３および金属半透明膜４が互いに積層された構造を有している。ＰＣシート２は、例えば１００μｍの厚みの、光透過性を有する透明シートである。第１記録媒体１２は、中層媒体１３におけるＰＣ基板５の入射側に近いほうの面に、アルミニウム等の金属半透明膜４がスパッタ法等で形成され、その上に上記第１色素３がスピンコート法等で塗布され、形成されている。
【００２６】
さらに、ＰＣ基板５への入射光側の表面に近いほうの、ＰＣ基板２の表面部には、ＢＤ（ブルーレイディスク）フォーマットのグルーブ２ａや図示しない情報ピットが形成されている。上記グルーブ２ａは、記録トラック用に、記録トラックに沿って蛇行して同心円状またはスパイラル状に形成された案内溝である。このようなＰＣシート２は、第１色素３の上に貼合わされて形成されている。また、互いに隣り合う各グルーブ２ａ間のランドに記録トラックを設けてもよい。
【００２７】
第２記録媒体１３は、図中、上側（入射光側）から順に、ＰＣ（ポリカーボネート）基板５、第２色素６、および金属半透明膜７が互いに積層された構造を有している。ＰＣ基板５は、例えば０．５ｍｍの厚みの、光透過性を有する透明基板であり、入射光側の表面に対して、より遠い側の表面部には、ＤＶＤ（デジタルバーサタイルディスク）フォーマットのグルーブ５ａを有している。第２記録媒体１３は、このＰＣ基板５の入射光側の面より遠い側の面部に、第２色素６がスピンコート法等で塗布され、塗布面の上に上記金属半透明膜７がスパッタリング法に基づく成膜により形成されている。
【００２８】
なお、ＰＣ基板５の両面に情報ピットおよび案内溝をそれぞれ形成して、光入射側に第１記録媒体１２用のパターンが、反対側に第２記録媒体１３用のパターンが形成されていてもよい。このとき、第１記録媒体１２は、ＰＣ基板５上に逆構成で薄膜形成され、その上には、約１００μｍのＵＶ硬化樹脂のコーティングもしくは、ＰＣシートの貼り合せによる表面コートを行うことが望ましい。
【００２９】
第３記録媒体１４は、図中、上側（入射光側）から順に、ＰＣ（ポリカーボネート）基板８、第２色素９、金属反射膜１０、および保護コート１１が互いに積層された構造を有している。ＰＣ基板８は、例えば０．５〜０．６ｍｍの厚みの、光透過性を有する透明基板であり、入射光側より遠い側の表面部にＣＤ（コンパクトディスク）フォーマットのグルーブ８ａや図示しない情報ピットを有している。第３記録媒体１４は、このＰＣ基板８の入射光側の表面に対して、より遠い側の表面に、第３色素９がスピンコート法等で塗布され、その塗布面上に上記金属反射膜１０をスパッタリング法等で成膜し、さらに上記保護コート１１をコーティングして形成されている。
【００３０】
第２記録媒体１３の最下部、すなわち金属半透明膜７の、光ビームを受けない面（図中下側の面）と、第３記録媒体１４の最上部、すなわちＰＣ基板８の、第３色素９と接しておらず光ビームが入射する面（図中上側の面）とが、透明貼り合わせ樹脂１５で貼り合わされている。このため、両ＰＣ基板５・８における、光ビームが入射する面が、同一の方向（図中、上方向）を向く。この構造によって１枚の光ディスク１が形成されている（タンデム構造）。
【００３１】
このような光ディスク１については、第１記録媒体の記録密度がσ１、第２記録媒体の記録密度がσ２、第３記録媒体の記録密度がσ３とするとき、各記録密度は、σ１＞σ２＞σ３に設定されていることになり、図示しない、ＢＤドライブ、ＤＶＤドライブおよびＣＤドライブの３種類のドライブで駆動することができるものである。
【００３２】
ＢＤドライブは、レーザ光（光ビーム）１６をＢＤディスクに対して照射・集光して記録再生を行うべく駆動する。ここで、上記レーザ光１６の波長は例えばλ１　＝４０５ｎｍである。また、ＢＤドライブでは、上記レーザ光１６の波長が、後述するようにＣＤ、ＣＤ−Ｒ、ＣＤ−ＲＯＭのためのレーザ光１８より短いことから、駆動されたＣＤ、ＣＤ−Ｒ、ＣＤ−ＲＯＭに対して、上記レーザ光１６を照射・集光して記録再生を行うこともできる。また、ＢＤドライブにおいては、ＤＶＤディスクである第２記録媒体１３に対して、上記レーザ光１６の波長が、後述するようにＤＶＤディスクのためのレーザ光１７より短いことから、駆動されたＤＶＤディスクに対してレーザ光１６を照射・集光して記録再生を行うこともできる。
【００３３】
ＤＶＤドライブは、レーザ光（光ビーム）１７をＤＶＤディスクに対して照射・集光して記録再生を行うべく駆動する。ここで、上記レーザ光１７の波長は例えばλ２　＝６５０ｎｍである。また、ＤＶＤドライブでは、上記レーザ光１７の波長が、後述するようにＣＤ、ＣＤ−Ｒ、ＣＤ−ＲＯＭのためのレーザ光１８より短いことから、駆動されたＣＤ、ＣＤ−Ｒ、ＣＤ−ＲＯＭに対して、レーザ光１７を照射・集光して記録再生を行うこともできる。
【００３４】
一方、ＣＤドライブは、同じくレーザ光１８をＣＤ、ＣＤ−Ｒ、ＣＤ−ＲＯＭに対して照射・集光して記録再生を行うべく駆動する。この場合、上記レーザ光１８の波長は、上記の各レーザ光１６、１７より長く、例えばλ３　＝７８０ｎｍである。
【００３５】
ここで、第１色素３の吸収スペクトルは、図１６に示すように、その吸収スペクトル曲線の短波長側端部が上記ＢＤドライブのレーザ光の波長（４０５ｎｍ）であり、その吸収スペクトル曲線の長波長側端部が上記ＤＶＤドライブのレーザ光の波長（６５０ｎｍ）である。したがって、６５０ｎｍまたは７８０ｎｍの光ビーム１７、１８は、第１色素３を透過し、第２記録媒体１３、第３記録媒体１４の記録再生が行える。
【００３６】
第２色素６は、反射特性を調整した有機色素、例えば下記の式（１）に示すようなシアニン色素であり、
【００３７】
【化１】
2004095005.tif 000003
【００３８】
式中、Ｒ１　、Ｒ２　はいずれも、アルキル基またはアリル基である。
【００３９】
図２に、第２色素６の吸光スペクトルを曲線Ａで示す。同図から分かるように、第２色素６は、その吸収スペクトル曲線の長波長側端部が上記ＤＶＤドライブのレーザ光の波長（６５０ｎｍ）である。したがって、６５０ｎｍの光ビームが第２色素６上に集光されるとこの光ビームが吸収され、記録再生が行える。
【００４０】
また、第２色素６は、上記ＣＤドライブのレーザ光の波長（７８０ｎｍ）とＤＶＤドライブのレーザ光の波長（６５０ｎｍ）とで、いずれも、透過率が５０％以上である。つまり、第２色素６は、６５０ｎｍおよび７８０ｎｍを含む波長域の波長であって第２色素６上には集光しない光ビームは、透過する性質を有している。
【００４１】
一方、第３色素９は、反射特性を調整した有機色素、例えば式（２）にて示すようなシアニン色素である。
【００４２】
【化２】
2004095005.tif 000004
【００４３】
式中、Ｒ１　、Ｒ２　はいずれも、アルキル基またはアリル基である。
【００４４】
図３に、第３色素９の吸光スペクトルを示す。同図から分かるように、第３色素９は、その吸収スペクトル曲線の長波長端部が上記ＣＤドライブのレーザ光の波長（７８０ｎｍ）である。一方、第３色素９は、その吸収スペクトル曲線の短波長側端部が上記ＤＶＤドライブのレーザ光の波長（６５０ｎｍ）である。したがって、６５０ｎｍまたは７８０ｎｍの光ビームが第３色素９上に集光されると、この光ビームが吸収され、記録再生が行える。
【００４５】
なお、第３色素９は、第２色素６の６５０ｎｍでの吸収特性とほぼ等しい、第２色素６と兼用できるような吸光特性（図２の曲線Ｂ参照）を備えているので、第２色素６を化学式（２）にて示された第３色素９としてもよい。このように兼用することにより、第２色素６および第３色素９は、互いに同一の化合物を用いても、６５０ｎｍレーザ、７８０ｎｍレーザのどちらでも記録が可能にできると共に、工程を兼用して低コスト化を図れるというメリットを発揮できる。
【００４６】
次に、本光ディスク１を用いての記録再生について説明する。ＢＤドライブでこの光ディスク１に対して記録再生を行う際には、以下の３通りの認識の場合がある。
【００４７】
すなわち、本光ディスク１をＢＤメディアとして認識した場合には、図１に示すように、ＰＣシート２から厚み０．１ｍｍのところで波長４０５ｎｍのレーザ光１６を集光させる。その結果、第１色素３上でレーザ光１６が集光される。したがって、第１記録媒体１２の側での記録再生が可能となる。
【００４８】
ＤＶＤメディアとして認識した場合は、ＰＣシート２から厚み０．６ｍｍのところで波長４０５ｎｍのレーザ光１６をレーザ光１７として集光させる。その結果、第２色素６上でレーザ光１７が集光される。したがって、第２記録媒体１３の側での記録再生が可能となる。
【００４９】
ＣＤメディアとして認識した場合は、ＰＣシート２から厚み１．２ｍｍのところで波長４０５ｎｍのレーザ光１６をレーザ光１８として集光させる。その結果、第３色素９上でレーザ光１８が集光される。したがって、第３記録媒体１４の側での記録再生が可能となる。
【００５０】
ＤＶＤドライブでこの光ディスク１に対して記録再生を行う際には、以下の２通りの認識の場合がある。
【００５１】
また、本光ディスク１をＤＶＤメディアとして認識した場合には、図１に示すように、ＰＣシート２から厚み０．６ｍｍのところで波長６５０ｎｍのレーザ光１７を集光させる。その結果、第２色素６上でレーザ光１７が集光される。したがって、第２記録媒体１３の側での記録再生が可能となる。
【００５２】
一方、本光ディスク１をＣＤメディアとして認識した場合には、ＰＣ基板５から厚み１．２ｍｍのところで波長６５０ｎｍのレーザ光１７をレーザ光１８として集光させる。その結果、第３色素９上でレーザ光１８が集光される。したがって、第３記録媒体１４の側での記録再生が可能となる。
【００５３】
このとき、第３記録媒体１４の側へレーザ光１８が記録再生に十分な強度で届くように、前述した通り、ＤＶＤドライブのレーザ光の波長（６５０ｎｍ）で、第２記録媒体１３の透過率が５０％以上であることが好ましい。本実施の形態では、上記第２色素６として、上記波長の場合の透過率が５０％以上、より好ましくは８０％以上のものを用いている（図２参照）。
【００５４】
また、第３記録媒体１４上でＤＶＤドライブのレーザ光により記録再生できるように、第３記録媒体１４は、前述した通り、吸光度の短波長端がＤＶＤドライブのレーザ光の波長（６５０ｎｍ）である（図３参照）。
【００５５】
また、ＣＤドライブでこの光ディスク１に対して記録再生を行う際には、第３記録媒体１４の側へのみアクセスできる。ＰＣシート２から厚み１．２ｍｍのところで波長７８０ｎｍのレーザ光１８を集光させる。その結果、第３色素９上でレーザ光１８が集光される。したがって、第３記録媒体１４の側での記録再生が可能となる。
【００５６】
このとき、第３記録媒体１４の側へレーザ光が記録再生に十分な強度で届くように、前述した通り、ＣＤドライブのレーザ光の波長（７８０ｎｍ）で、第１記録媒体１２および第２記録媒体１３の透過率が５０％以上、より好ましくは８０％以上であることが好ましい。本実施の形態では、上記第１色素３および第２色素６として、上記波長の場合の透過率が５０％以上のものを用いている（図２参照）。
【００５７】
また、第３記録媒体１４上でレーザ光により記録再生できるように、前述した通り、第３記録媒体１４は、吸光度の長波長端が、ＣＤドライブの上記レーザ光の波長（７８０ｎｍ）である（図３参照）。
【００５８】
ところで、従来では、データのＢＤ上での書き込みや読み出しとＣＤ、ＤＶＤ上での書き込みや読み出しとを交互に頻繁に行う場合、ＢＤとＣＤ、ＤＶＤとを抜き差しして入れ換える操作が必要になるため、やはり操作が煩雑であり迅速に操作できないという問題点が生じる。
【００５９】
一方、本発明に係る光情報記録媒体では、１つの光記録媒体の同じ側を向いた面にＣＤ情報とＤＶＤ情報とＢＤ情報を記録できるので、１つの光記録媒体をＢＤドライブに入れたままの状態で、ＢＤ上でのデータの書き込みや読み出しとＣＤ、ＤＶＤ上での書き込みや読み出しとの両方を行うことができ、データのＢＤ上での書き込みや読み出しとＣＤ、ＤＶＤ上での書き込みや読み出しとを交互に頻繁に行うときにも、ＣＤとＤＶＤとＢＤを抜き差しして入れ換える操作が不要なため、操作が簡略であり迅速に操作でき利便性を向上できる。
【００６０】
さらに、本発明に係る光情報記録媒体においては、一つのＢＤドライブでＣＤからＤＶＤ、またはＤＶＤからＢＤへとデータを移動・複写するのに、ＣＤとＤＶＤとＢＤを抜き差しして入れ換える操作が不要なため、操作が簡略であり迅速に操作できるという効果およびデータのＢＤ上での書き込みや読み出しとＣＤ、ＤＶＤ上での書き込みや読み出しとを交互に頻繁に行うときにも、ＢＤとＤＶＤとＣＤを抜き差しして入れ換える操作が不要なため、操作が簡略であり迅速に操作できるという効果を奏する。
【００６１】
ところで、各色素の吸光度特性の中における、長波長側および短波長側の各端部では、吸収はないように見えるが、実際の透過率は３０％程度落ちる。吸光度はＬｏｇで示されるため小さい値であっても透過率としてはかなりある。吸光度の大きいところでは、光が通らないために、ディスクの場合フォーカスサーボも入らないことになる。
従って、吸収の若干生じる吸光度の端部を用いて、サーボをかけ、かつ記録再生できる。また、透過率も６０％くらいは確保されているので、その層を透過して下に有る層を記録再生に行くことも可能となる。つまり、半吸収で半透明という波長帯をうまく利用して、互換性を確保しながら、それぞれを記録・再生できることが分かる。
【００６２】
〔実施の形態２〕
本発明の他の実施の形態について図４に基づいて説明すれば、以下の通りである。なお、説明の便宜上、前記の実施の形態の図面に示した部材と同一の機能を有する部材には、同一の符号を付記してその説明を省略する。
【００６３】
図４に示すように、本実施の形態に係る光ディスク（光情報記録媒体）２１は、実施の形態１に係る光ディスク１とほぼ同様の構成を有している。ただし、第３記録媒体３０において、ＰＣ基板５の代わりにＰＣ基板２５が積層され、第３色素９の代わりに、金属膜２６が積層されている点が異なる。また、金属反射膜１０は設けられていない。
【００６４】
ＰＣ基板２５は、情報を記録するためのプレピットを、記録トラックの方向に沿った凹凸から形成されて有している。金属膜２６は、金、アルミニウムまたはそれらの合金からなり、厚みは１０ｎｍ以上である。通常のＣＤと同様に、金属膜２６で、各レーザ光１１６、１７、１８を反射する。このため、第３記録媒体３０は再生専用媒体として機能する。
【００６５】
第３記録媒体３０を再生専用媒体とすることにより、第３記録媒体３０にある大容量の情報を編集して、編集データを第１記録媒体１２や第２記録媒体１３に自由に記録することができるという効果を有する。
【００６６】
〔実施の形態３〕
本発明のさらに他の実施の形態について図５に基づいて説明すれば、以下の通りである。なお、説明の便宜上、前記の実施の形態の図面に示した部材と同一の機能を有する部材には同一の符号を付記してその説明を省略する。
【００６７】
図５に示すように、本実施の形態に係る光ディスク（光情報記録媒体）３１は、実施の形態１に係る光ディスク１とほぼ同様の構成を有している。ただし、第３記録媒体４０において、第３色素９の代わりに、ＰＣ基板８の側から順に、ＺｎＳ層（１５０ｎｍ）、記録膜３６（２０ｎｍ）、ＡｌＮ層（２０ｎｍ）、およびＡｌ層（５０ｎｍ）が積層されている点が異なる。なお、上記層のうち、ＺｎＳ層、ＡｌＮ層およびＡｌ層は図示していない。また、金属反射膜１０は設けられていない。
【００６８】
記録膜３６はＧｅ２Ｓｂ２Ｔｅ５である。通常の相変化型光ディスクと同様に、記録膜３６でレーザ光１８により相が結晶状態と非晶質状態との間で入れ代わるため、下層媒体である第３記録媒体４０は記録再生用媒体として機能する。
【００６９】
第３記録媒体４０を相変化型記録再生媒体とすることにより、第１記録媒体１２や第２記録媒体１３にある大容量の情報を編集して、編集データを第３記録媒体４０に自由に記録、消去、再記録することができるという効果を有する。
【００７０】
〔実施の形態４〕
本発明のさらに他の実施の形態について図６に基づいて説明すれば、以下の通りである。なお、説明の便宜上、前記の実施の形態の図面に示した部材と同一の機能を有する部材には同一の符号を付記してその説明を省略する。
【００７１】
図６に示すように、本実施の形態に係る光ディスク（光情報記録媒体）４１は、実施の形態１に係る光ディスク１とほぼ同様の構成を有している。ただし、第３記録媒体５０において、第３色素９の代わりに、ＰＣ基板８の側から順に、ＳｉＮ層（１００ｎｍ）、記録膜４６（３０ｎｍ）、ＳｉＮ層（３０ｎｍ）、およびＡｌ層（５０ｎｍ）が互いに積層されている点が異なる。なお、上記各層のうち、ＳｉＮ層およびＡｌ層は図示していない。また、金属反射膜１０は設けられていない。
【００７２】
記録膜４６はＴｂＦｅＣｏからなる希土類遷移金属合金である。通常の光磁気ディスクと同様に、記録膜４６でレーザ光１８の加熱の高低により垂直方向等の磁化方向が変わるため、下層媒体である第３記録媒体５０は記録再生用媒体として機能する。これらの記録膜４６は、さらに超解像機能や磁区拡大機能を持っていてもよい。
【００７３】
第３記録媒体５０を光磁気型記録再生媒体とすることにより、第３記録媒体３０にある大容量の情報を編集して、編集データを第１記録媒体１２や第２記録媒体１３に自由に記録することができるという効果を有する。
【００７４】
〔実施の形態５〕
本発明のさらに他の実施の形態について図７に基づいて説明すれば、以下の通りである。なお、説明の便宜上、前記の実施の形態の図面に示した部材と同一の機能を有する部材には同一の符号を付記してその説明を省略する。
【００７５】
図７に示すように、本実施の形態に係る光ディスク（光情報記録媒体）５１は、実施の形態１に係る光ディスク１とほぼ同様の構成を有している。ただし、第２記録側媒体５９において、ＰＣ基板５の代わりにＰＣ基板５２が積層され、第２色素６の代わりに、金属膜５３が積層されている点が異なる。
【００７６】
ＰＣ基板５２は、前述のプレピット２５ａと同様なプレピットを有し、透明である。このとき、第３記録媒体１４の側へレーザ光１８が記録再生に十分な強度で届くように、ＢＤドライブのレーザ光の波長（４０５ｎｍ）、ＤＶＤドライブのレーザ光の波長（６５０ｎｍ）およびＣＤドライブのレーザ光の波長（７８０ｎｍ）で、第２記録媒体５９の透過率がいずれも５０％以上、より望ましくは８０％以上であることが好ましい。
【００７７】
よって、本実施の形態では、上記金属膜５３として、上記波長の場合の透過率がいずれも５０％以上のものを用いている。本実施の形態においては、金属膜５３は、金、アルミニウムまたはそれらの合金からなり、厚みは５ｎｍ〜１０ｎｍであり、半透明である。通常のＤＶＤと同様に、金属膜５３にＢＤドライブ、ＤＶＤドライブのレーザ光１７が集光されると、このレーザ光１７を反射する。このため、第２記録媒体５９は読み出し専用媒体として機能する。
【００７８】
また、上記ＤＶＤドライブのレーザ光や、またＣＤドライブのレーザ光が、金属膜５３上で集光されることなく照射された場合（レーザ光１８）には、実施の形態１と同様、金属膜５３はこのレーザ光１８を透過し、第３記録媒体１４へ到達させる。このため、第３記録媒体１４が実施の形態１同様の機能を有する。
【００７９】
第２記録媒体５９を再生専用媒体とすることにより、第２記録媒体５９にある大容量の情報を編集して、編集データを第１記録媒体１２や第３記録媒体１４に自由に記録することができるという効果を有する。
【００８０】
〔実施の形態６〕
本発明のさらに他の実施の形態について図８に基づいて説明すれば、以下の通りである。なお、説明の便宜上、前記の実施の形態の図面に示した部材と同一の機能を有する部材には同一の符号を付記してその説明を省略する。
【００８１】
図８に示すように、本実施の形態に係る光ディスク（光情報記録媒体）６１は、実施の形態５に係る光ディスク５１とほぼ同様の構成を有している。ただし、第３記録媒体３０において、ＰＣ基板８の代わりにＰＣ基板２５が積層され、第３色素９の代わりに、金属膜２６が積層されている点が異なる。また、金属反射膜１０は設けられていない。
【００８２】
ＰＣ基板２５は、前述したプレピット２５ａを有している。金属膜２６は、金、アルミニウムまたはそれらの合金からなり、厚みは１０ｎｍ以上である。通常のＣＤと同様に、金属膜２６でレーザ光１８を反射する。このため、第３記録媒体３０は読み出し専用媒体として機能する。
【００８３】
第２記録媒体５９と第３記録媒体３０を再生専用媒体とすることにより、第２記録媒体５９と第３記録媒体３０にある大容量の情報を編集して、編集データを第１記録媒体１２に自由に記録することができるという効果を有する。
【００８４】
〔実施の形態７〕
本発明のさらに他の実施の形態について図９に基づいて説明すれば、以下の通りである。なお、説明の便宜上、前記の実施の形態の図面に示した部材と同一の機能を有する部材には同一の符号を付記してその説明を省略する。
【００８５】
図９に示すように、本実施の形態に係る光ディスク（光情報記録媒体）７１は、実施の形態５に係る光ディスク５１とほぼ同様の構成を有している。ただし、第３記録媒体４０において、第３色素９の代わりに、ＰＣ基板８の側から順に、ＺｎＳ層（１５０ｎｍ）、記録膜３６（２０ｎｍ）、ＡｌＮ層（２０ｎｍ）、およびＡｌ層（５０ｎｍ）が積層されている点が異なる。なお、上記層のうち、ＺｎＳ層、ＡｌＮ層およびＡｌ層は図示していない。また、金属反射膜１０は設けられていない。
【００８６】
記録膜３６はＧｅ２Ｓｂ２Ｔｅ５である。通常の相変化型光ディスクと同様に、記録膜３６でレーザ光１８により相が結晶状態と非晶質状態との間で入れ代わるため、第３記録媒体４０は記録再生用媒体として機能する。
【００８７】
第２記録媒体５９を再生専用媒体とすることにより、第２記録媒体５９にある大容量の情報を編集して、編集データを第１記録媒体１２に自由に記録することができ、第３記録媒体４０には、編集データを自由に記録・消去・再記録できるという効果を有する。
【００８８】
〔実施の形態８〕
本発明のさらに他の実施の形態について図１０に基づいて説明すれば、以下の通りである。なお、説明の便宜上、前記の実施の形態の図面に示した部材と同一の機能を有する部材には同一の符号を付記してその説明を省略する。
【００８９】
図１０に示すように、本実施の形態に係る光ディスク（光情報記録媒体）８１は、実施の形態５に係る光ディスク５１とほぼ同様の構成を有している。ただし、第３記録媒体５０において、第３色素９の代わりに、ＰＣ基板８の側から順に、ＳｉＮ層（１００ｎｍ）、記録膜４６（３０ｎｍ）、ＳｉＮ層（３０ｎｍ）、およびＡｌ層（５０ｎｍ）が積層されている点が異なる。なお、上記層のうち、ＳｉＮ層およびＡｌ層は図示していない。また、金属反射膜１０は、設けられていない。
【００９０】
記録膜４６はＴｂＦｅＣｏからなる希土類遷移金属合金である。通常の光磁気ディスクと同様に、記録膜４６でレーザ光１８により磁化方向が変わるため、第３記録媒体５０は記録再生用媒体として機能する。これらの記録再生膜は、超解像機能や磁区拡大機能を持っていてもよい。
【００９１】
第２記録媒体５９を再生専用媒体とすることにより、第２記録媒体５９にある大容量の情報を編集して、編集データを第１記録媒体１２に自由に記録することができ、第３記録媒体５０には、編集データを自由に記録・消去・再記録できるという効果を有する。
【００９２】
なお、上記の実施の各形態１〜８では、個々の特徴的な構成による作用・効果について説明したが、上記の実施の各形態１〜８をどのように組み合わせてもよい。
【００９３】
【発明の効果】
以上のように、本発明の他の光情報記録媒体は、光入射側から、第１記録媒体と第２記録媒体と第３記録媒体とを有し、第１記録媒体の記録密度がσ１、第２記録媒体の記録密度がσ２、第３記録媒体の記録密度がσ３であるとき、各記録密度は、σ１＞σ２＞σ３に設定されている構成である。
【００９４】
また、本発明の他の光情報記録媒体は、第１記録媒体と第２記録媒体と第３記録媒体が積層されており、第１記録媒体は、第２記録媒体が積層された側と反対の側から照射されて第１記録媒体上で集光する波長λ１　の光ビームによって記録再生を行い、また、第１記録媒体は、波長λ１　およびλ２　およびλ３　をそれぞれ有する、第１記録媒体上で集光しない光ビームを透過し、第２記録媒体は、第１記録媒体が積層された側から照射されて第２記録媒体上で集光する波長λ１　およびλ２　の光ビームによって記録再生を行う。第２記録媒体は、波長λ１　およびλ２およびλ３　をそれぞれ有する、第２記録媒体上で集光しない光ビームを透過し、第３記録媒体は、第２記録媒体が積層された側から照射されて第３記録媒体上で集光する波長λ１　およびλ２　およびλ３　の光ビームによって記録再生を行う構成である。
【００９５】
それゆえ、上記構成では、一つのＢＤドライブでＣＤ、ＤＶＤ、ＢＤの間のデータを自由に移動・複写するのに、ＣＤとＤＶＤとＢＤを抜き差しして入れ換える操作が不要なため、操作が簡略であり迅速に操作できるという効果を奏する。
【００９６】
また、上記構成においては、データのＢＤ上での書き込みや読み出しとＤＶＤ上での書き込みや読み出しとＣＤ上での書き込みや読み出しとを交互に頻繁に行うときにも、ＣＤとＤＶＤとＢＤとを抜き差しして入れ換える操作が不要なため、操作が簡略であり迅速に操作できるという効果を奏する。
【図面の簡単な説明】
【図１】本発明に係る光情報記録媒体の一構成例を示す断面図である。
【図２】上記光情報記録媒体における第２記録媒体の吸光スペクトル（Ａ）と第３記録媒体の吸光スペクトル（Ｂ）をそれぞれ示すグラフである。
【図３】上記光情報記録媒体における第３記録媒体の吸光スペクトルを示すグラフである。
【図４】本発明に係る光情報記録媒体の他の構成例を示す断面図である。
【図５】本発明に係る光情報記録媒体のさらに他の構成例を示す断面図である。
【図６】本発明に係る光情報記録媒体のさらに他の構成例を示す断面図である。
【図７】本発明に係る光情報記録媒体のさらに他の構成例を示す断面図である。
【図８】本発明に係る光情報記録媒体のさらに他の構成例を示す断面図である。
【図９】本発明に係る光情報記録媒体のさらに他の構成例を示す断面図である。
【図１０】本発明に係る光情報記録媒体のさらに他の構成例を示す断面図である。
【図１１】ＣＤの構成を示す断面図である。
【図１２】ＤＶＤの構成を示す断面図である。
【図１３】ＢＤの構成を示す断面図である。
【図１４】ＣＤ−Ｒに用いる色素の吸光スペクトルを示すグラフである。
【図１５】ＤＶＤ−Ｒに用いる色素の吸光スペクトルを示すグラフである。
【図１６】ＢＤ−Ｒに用いる色素の吸光スペクトルを示すグラフである。
【符号の説明】
１、２１、３１、４１、５１、６１、７１、８１　光ディスク（光情報記録媒体）
２　　ＰＣシート
３　　第１色素
４　　金属半透明膜
５、８、２５、５２　ＰＣ基板
６　　第２色素
７　　金属半透明膜
９　　第３色素
１０　金属反射膜
１１　保護コート
１２　第１記録媒体
１３、５９　第２記録媒体
１４、３０、４０、５０　第３記録媒体
１５　透明貼り合わせ樹脂
１６　レーザ光（光ビーム）
１７　レーザ光（光ビーム）
１８　レーザ光（光ビーム）
２６、５３　金属膜
３６、４６　記録膜
【図１】
2004095005.tif 000005
【図２】
2004095005.tif 000006
【図３】
2004095005.tif 000007
【図４】
2004095005.tif 000008
【図５】
2004095005.tif 000009
【図６】
2004095005.tif 000010
【図７】
2004095005.tif 000011
【図８】
2004095005.tif 000012
【図９】
2004095005.tif 000013
【図１０】
2004095005.tif 000014
【図１１】
2004095005.tif 000015
【図１２】
2004095005.tif 000016
【図１３】
2004095005.tif 000017
【図１４】
2004095005.tif 000018
【図１５】
2004095005.tif 000019
【図１６】
2004095005.tif 000020